(57)【要約】【課題】  移動通信端末装置は、高速な上り方向のＳＣＨ（Supplement Channel）の割り当てを受けることができる通信システム及び移動通信端末装置を提供する。【解決手段】  移動通信端末装置は、上り方向のＳＣＨの割り当てを要求し（ステップＳ１１ｂ）、割り当てられたＳＣＨの速度を受信し（ステップＳ１１ｃ）、その速度が容認できない場合（ステップＳ１１ｄの「容認できない」）、割り当てられたＳＣＨの開放を要求し（ステップＳ１１ｈ）、再度、上り方向のＳＣＨの割り当てを要求する（ステップＳ１１ｉ）。【選択図】  図５
2006262109.tif 000002
【特許請求の範囲】
【請求項１】
データ通信用のチャネルを割り当てる基地局と、前記チャネルの割り当てを要求する移動通信端末装置とが無線通信路を介して接続された通信システムであって、
前記基地局は、
前記移動通信端末装置から送信された速度を指定した前記チャネルの割り当て要求を受信する要求受信手段と、
前記要求受信手段によって受信された要求に対して、その要求で指定された速度と前記チャネルリソースの余裕の多寡とに応じた速度の前記チャネルを割り当てる割当手段と、
前記割当手段によって割り当てられたチャネルの速度を含む情報を前記移動通信端末装置に送信する割当通知手段と、
前記移動通信端末装置から送信された前記割当手段によって割り当てられたチャネルの開放要求を受信する開放要求受信手段と、
前記開放要求受信手段によって受信されたチャネルを開放する開放手段とを有し、
前記移動通信端末装置は、
前記速度を指定したチャネルの割り当て要求を前記基地局に送信する要求送信手段と、
前記基地局から割り当てられたチャネルの速度を含む情報を受信する割当通知受信手段と、
前記割当通知受信手段によって受信されたチャネルの開放要求を前記基地局に送信する開放要求送信手段と、
前記割当通知受信手段によって受信されたチャネルの速度が容認できるか否かを判断して、容認できない場合、前記開放要求送信手段を制御して前記割り当てられたチャネルの開放要求を送信させ、前記要求送信手段を制御して前記速度を指定したチャネルの割り当て要求を送信させることによってチャネル割り当て再要求を行うチャネル制御手段とを有する
ことを特徴とする通信システム。
【請求項２】
データ通信用のチャネルの速度を含む割り当て要求に応じて該要求に含まれる速度とチャネルリソースの余裕の多寡に応じて決定される速度の前記チャネルを割り当てると共に、前記チャネルの開放要求に応じて割り当てたチャネルを開放する基地局と、前記チャネルの割り当て及び開放を要求する移動通信端末装置とが無線通信路を介して接続された通信システムの移動通信端末装置であって、
前記速度を指定したチャネルの割り当て要求を前記基地局に送信する要求送信手段と、
前記基地局から割り当てられたチャネルの速度を含む情報を受信する割当通知受信手段と、
前記割当通知受信手段によって受信されたチャネルの開放要求を前記基地局に送信する開放要求送信手段と、
前記割当通知受信手段によって受信されたチャネルの速度が容認できるか否かを判断して、容認できない場合、前記開放要求送信手段を制御して前記割り当てられたチャネルの開放要求を送信させ、前記要求送信手段を制御して前記速度を指定したチャネルの割り当て要求を送信させることによってチャネル割り当て再要求を行うチャネル制御手段とを有する
ことを特徴とする移動通信端末装置。
【請求項３】
前記チャネル制御手段は、前記チャネル割り当て再要求を行って、その要求に対して前記割当通知受信手段によって受信されたチャネルの速度が容認できるか否かを判断して、容認できない場合、所定回数繰り返して前記チャネル割り当て再要求を行う
ことを特徴とする請求項２に記載の移動通信端末装置。
【請求項４】
前記所定回数は、前記容認できない程度が大きい程多い
ことを特徴とする請求項３に記載の移動通信端末装置。
【請求項５】
前記繰り返してチャネル割り当て再要求を行う間隔は、前記容認できない程度が大きい程短い
ことを特徴とする請求項３に記載の移動通信端末装置。
【請求項６】
前記繰り返してチャネル割り当て再要求を行う間隔は、前記繰り返してチャネル割り当て再要求を行う毎により長い
ことを特徴とする請求項３に記載の移動通信端末装置。
【発明の詳細な説明】
【技術分野】
【０００１】
本発明は、通信システム及び移動通信端末装置に係り、特にデータ通信用チャネルの制御処理に関する。
【背景技術】
【０００２】
移動通信端末装置は、電子メール、ウェブシステムへのアクセス、ファイル転送など処理のため、多くのデータ通信を基地局との間で行っており、このデータ通信のスループットの改善は、移動通信端末装置の性能向上に必須となっている。
【０００３】
そこで、例えば、特開２００１−４５５７４号公報に開示されているように、移動通信端末装置と基地局との間に、音声通信及びデータ通信に用いられる基本のチャネル（Fundamental Channel。以後、ＦＣＨと称する。）に加えて、高速なデータ通信専用チャネル（Supplement Channel。以後、ＳＣＨと称する。）を使用することが知られている。ＳＣＨは、上り方向の通信（移動通信端末装置から基地局への通信）及び下り方向の通信（基地局から移動通信端末装置への通信）に用いられる。
【０００４】
移動通信端末装置は、自装置で上り方向のデータ通信を行う処理が起動されるに従って、上り方向のＳＣＨの割り当てを基地局に要求する。そして、割り当てられたＳＣＨを指定された通信速度で使用する。その際、指定された通信速度は、上記割り当ての際のチャネルリソースの余裕の多寡に従って基地局が決定して割り当てる。その指定された通信速度が適切でない場合、基地局が通信速度を動的に変更する処理が知られている（例えば、特許文献１参照。）。
【特許文献１】特開２００４−３２２０６号公報（第２頁、図２）
【発明の開示】
【発明が解決しようとする課題】
【０００５】
しかしながら、上述した特許文献１に開示されている方法では、多量のデータの上り方向の通信を行おうとしている移動通信端末装置に高速が指定されたＳＣＨ（以後、これを高速なＳＣＨなどと略称する。）を割り当てることができない問題点があった。なぜなら、移動通信端末装置が行おうとしている上り方向の通信のデータ量を知るのは移動通信端末装置であって、基地局は、そのデータ量を知ることができないためである。この結果、移動通信端末装置と、基地局とからなる通信システムの通信効率が低下する問題点があった。
【０００６】
本発明は、上記問題点を解決するためになされたもので、移動通信端末装置は、高速な上り方向のＳＣＨの割り当てを受けることができる通信システム及び移動通信端末装置を提供することを目的とする。
【課題を解決するための手段】
【０００７】
上記目的を達成するために、本発明の通信システムは、データ通信用のチャネルを割り当てる基地局と、前記チャネルの割り当てを要求する移動通信端末装置とが無線通信路を介して接続された通信システムであって、前記基地局は、前記移動通信端末装置から送信された速度を指定した前記チャネルの割り当て要求を受信する要求受信手段と、前記要求受信手段によって受信された要求に対して、その要求で指定された速度と前記チャネルリソースの余裕の多寡とに応じた速度の前記チャネルを割り当てる割当手段と、前記割当手段によって割り当てられたチャネルの速度を含む情報を前記移動通信端末装置に送信する割当通知手段と、前記移動通信端末装置から送信された前記割当手段によって割り当てられたチャネルの開放要求を受信する開放要求受信手段と、前記開放要求受信手段によって受信されたチャネルを開放する開放手段とを有し、前記移動通信端末装置は、前記速度を指定したチャネルの割り当て要求を前記基地局に送信する要求送信手段と、前記基地局から割り当てられたチャネルの速度を含む情報を受信する割当通知受信手段と、前記割当通知受信手段によって受信されたチャネルの開放要求を前記基地局に送信する開放要求送信手段と、前記割当通知受信手段によって受信されたチャネルの速度が容認できるか否かを判断して、容認できない場合、前記開放要求送信手段を制御して前記割り当てられたチャネルの開放要求を送信させ、前記要求送信手段を制御して前記速度を指定したチャネルの割り当て要求を送信させることによってチャネル割り当て再要求を行うチャネル制御手段とを有することを特徴とする。
【発明の効果】
【０００８】
本発明によれば、移動通信端末装置は、高速な上り方向のＳＣＨの割り当てを受けることができる通信システム及び移動通信端末装置を提供することができる。
【発明を実施するための最良の形態】
【０００９】
以下に、本発明による通信システム及び移動通信端末装置の実施の形態を、図面を参照して説明する。図１は、本発明の実施形態に係る通信システムの構成を示すブロック図である。この通信システムは、複数台の本発明の実施形態に係る移動通信端末装置１と、基地局２と、移動通信端末装置１と基地局２とを接続するＦＣＨ及びＳＣＨを含むチャネル３とからなる。
【００１０】
図２は、移動通信端末装置１の構成を示すブロック図である。この移動通信端末装置１は、装置全体の制御を行う制御部１１と、基地局２との間で電波の送受信を行うアンテナ１２ａと、通信部１２ｂと、送受信部１３と、スピーカ１４ａと、マイクロフォン１４ｂと、通話部１４ｃと、表示部１５と、入力装置１６と、電子メール送受信部１７と、ファイル転送部１８と、ファイル記憶部１９とからなる。ファイル記憶部１９には、ファイル１９ａが記憶される。
【００１１】
図３は、基地局２の構成を示すブロック図である。この基地局２は、装置全体の制御を行う制御部２１と、移動通信端末装置１との間で電波の送受信を行うアンテナ２２ａと、通信部２２ｂと、送受信部２３と、有線通信部２４とからなる。
【００１２】
ここで、通信システムの各部の動作を、まず、移動通信端末装置１を構成する各部の動作から説明する。
【００１３】
通信部１２ｂは、アンテナ１２ａが受信した高周波信号を送受信部１３へ出力し、送受信部１３から出力される高周波信号をアンテナ１２ａを介して送信する。送受信部１３は、通信部１２ｂからの高周波信号を増幅、周波数変換、及び復調し、それによって得られたデジタル音声信号を通話部１４ｃに、また、デジタルデータ信号と制御信号とを制御部１１に送る。また、通話部１４ｃから出力されるデジタル音声信号、及び制御部１１から出力されるデジタルデータ信号と制御信号とを変調、周波数変換、及び増幅して高周波信号を得、それを通信部１２ｂに送る。
【００１４】
通話部１４ｃは、送受信部１３から出力されるデジタル音声信号をアナログ音声信号に変換し、それを増幅してスピーカ１４ａに送る。更に、マイクロフォン１４ｂから出力される音声信号を増幅し、それをデジタル音声信号に変換して送受信部１３に送信する。
【００１５】
次に、表示部１５は、制御部１１に制御されることで、文字・数字や画像データの表示動作を行い、表示されているデータは、入力装置１６からの入力操作や着信信号に応答して制御部１１からの指示を受けることで切換わる。
【００１６】
入力装置１６は、通信相手の電話番号や電子メールの標題と本文と送信先アドレスなどを入力するためのキーと複数の機能キーとを含むキーからなる。この入力装置１６のキーが操作されると、そのキーの識別子が制御部１１に通知され、制御部１１によって、表示部１５に文字などのキャラクターとして表示され、また、識別子に対応した機能に基づく制御が行われる。
【００１７】
次に、電子メール送受信部１７は、制御部１１が電子メール着信信号を受信した後に、制御部１１が起動することにより電子メール受信の動作を開始する。そして、制御部１１によって受信された受信メールの標題と、本文とを受信して、電子メール送受信部１７内に記憶する。更に、受信メールに添付ファイルが添付されていた場合、その添付ファイルを受信して、その添付ファイルデータをファイル記憶部１９にファイル１９ａとして記憶する。
【００１８】
そして、入力装置１６の所定のキー操作によって、電子メール閲覧の機能が選択された場合、電子メール送受信部１７は、制御部１１によって起動され、電子メール送受信部１７内に記憶された受信メールの標題と、本文とを表示部１５に表示する。
【００１９】
また、その受信メールに添付ファイルが添付されており、所定のキーが操作された場合、電子メール送受信部１７は、その添付ファイルデータが記憶されたファイル１９ａをファイル記憶部１９から読み出して、そのファイル１９ａが、例えば符号化された映像データ及び音声データからなるコンテンツであれば、そのコンテンツを復号部（図示せず）を起動して復号させ、復号されたコンテンツを表示部１５及びスピーカ１４ａに出力する。
【００２０】
更に、入力装置１６の所定のキー操作によって、電子メールの送信の機能が選択された場合、電子メール送受信部１７は、制御部１１によって起動され、入力装置１６の所定のキー操作によって、送信メールの標題と、本文とを入力する。また、入力装置１６の所定のキー操作によって、添付ファイルの添付が指示された場合、指定されたファイル１９ａをファイル記憶部１９から読み出して添付ファイルとする。そして、電子メール送受信部１７は、上記送信する電子メールの送信指示を制御部１１に送信する。
【００２１】
ファイル転送部１８は、入力装置１６の所定のキー操作によって、制御部１１によって起動され、ファイル１９ａの上り方向及び下り方向の転送を行う装置である。そして、入力装置１６の所定のキー操作によって、ファイル１９ａの識別子と転送先の装置（図示せず）のファイルの識別子と転送の方向が指示されると、それらの指示に従ったファイル転送指示を制御部１１に送信する。
【００２２】
次に、基地局２を構成する各部の動作を説明する。通信部２２ｂは、アンテナ２２ａが受信した高周波信号を送受信部２３へ出力し、送受信部２３から出力される高周波信号をアンテナ２２ａを介して送信する。
【００２３】
送受信部２３は、通信部２２ｂからの高周波信号を増幅、周波数変換、及び復調し、それによって得られたデジタル音声信号とデジタルデータ信号とを有線通信部２４に、また、制御信号を制御部２１に送る。また、有線通信部２４から出力されるデジタル音声信号とデジタルデータ信号と、制御部１１から出力される制御信号とを変調、周波数変換、及び増幅して高周波信号を得、それを通信部２２ｂに送る。
【００２４】
有線通信部２４は、送受信部２３から出力されるデジタル音声信号とデジタルデータ信号と、制御部２１から出力される制御信号とを有線通信網（図示せず）を介して交換局（図示せず）に送信する。更に、交換局から有線通信網を介して出力されるデジタル音声信号とデジタルデータ信号とを送受信部２３に送信し、交換局から有線通信網を介して出力される制御信号を制御部２１に送信する。
【００２５】
次に、基地局２の制御部２１のＦＣＨ及び上り方向のＳＣＨ割り当ての制御動作を説明する。図４は、制御部２１のＦＣＨ及び上り方向のＳＣＨ割り当ての制御動作のフローチャートを示す。制御部２１は、移動通信端末装置１が送信した通話またはデータ通信の発呼を示す制御信号を受信することにより、または、交換局が送信した移動通信端末装置１への通話またはデータの着信を示す制御信号を受信することにより動作を開始し、基地局２と移動通信端末装置１との間にＦＣＨを割り当てて（ステップＳ２１ａ）、そのＦＣＨを用いて通話またはデータ通信を行う（ステップＳ２１ｂ）。
【００２６】
更に、制御部２１は、移動通信端末装置１が送信した上り方向のＳＣＨの割り当て要求を受信すると（ステップＳ２１ｃ）、その要求に従って、ＳＣＨを基地局２と移動通信端末装置１との間に割り当てて、そのＳＣＨの速度を含む、割り当てられたＳＣＨの情報を移動通信端末装置１に通知して、そのＳＣＨを用いて上り方向のデータ通信を行う（ステップＳ２１ｄ）。そのＳＣＨの速度は、移動通信端末装置１が要求して、ステップＳ２１ｃで受信された速度と、チャネルリソースの余裕の多寡によって決定する。
【００２７】
そして、制御部２１は、移動通信端末装置１が送信した上記割り当てられたＳＣＨの開放要求を受信すると（ステップＳ２１ｅ）、その要求に従って、そのＳＣＨを開放する（ステップＳ２１ｆ）。そして、移動通信端末装置１との通話またはデータ通信が終了すると、上記割り当てられたＦＣＨを開放して、チャネル割り当ての動作を終了する（ステップＳ２１ｇ）。
【００２８】
更に、制御部２１は、交換局が送信した下り方向のＳＣＨの割り当て要求に従って、ＳＣＨを基地局２と移動通信端末装置１との間に割り当てて、そのＳＣＨを用いて下り方向のデータ通信を行う。そのＳＣＨの速度は、交換局の要求と、チャネルリソースの余裕の多寡によって決定する。また、交換局が送信した上記割り当てられたＳＣＨの開放要求に従って、そのＳＣＨを開放する。
【００２９】
次に、移動通信端末装置１の制御部１１による上り方向のＳＣＨの要求と開放、更にそのＳＣＨを用いた通信の制御動作を説明する。図５は、制御部１１による上り方向のＳＣＨの要求と開放、更にそのＳＣＨを用いた通信の制御動作のフローチャートを示す。制御部１１による上り方向のＳＣＨの要求と開放、更にそのＳＣＨを用いた通信の制御動作は、電子メール送受信部１７またはファイル転送部１８が送信した上り方向のデータ通信を行う指示が受信されることによって、動作を開始する（ステップＳ１１ａ）。
【００３０】
次に、制御部１１は、上記データ通信されるデータ量に基づいて決定された速度の上り方向のＳＣＨの割り当て要求を基地局２に送信する（ステップＳ１１ｂ）。そして、割り当てられたＳＣＨの速度を含む、そのＳＣＨの情報を基地局２から受信して（ステップＳ１１ｃ）、その速度が上記データ通信されるデータ量と比較して容認できるか否かを調べる。即ち、その速度がそのデータ量の通信を行うために充分に高速であるか否かを調べる（ステップＳ１１ｄ）。
【００３１】
ここで、上記データ量が多い程、容認できる速度は、より高速であるが、これに限るものではない。例えば、割り当てられた速度が所定の速度以上の速度である場合、容認できると判断し、割り当てられた速度がその所定の速度未満の速度である場合、容認できないと判断しても良い。また、制御部１１は、最高速度のＳＣＨの割り当てを要求し、割り当てられた速度がその最高速度である場合、容認できると判断し、割り当てられた速度がその最高速度でない場合、容認できないと判断しても良い。
【００３２】
その速度が容認できる場合、制御部１１は、割り当てられたＳＣＨを用いて上記データ通信を行って（ステップＳ１１ｅ）、割り当てられたＳＣＨを用いて所定数の空のフレームを送信した後、そのＳＣＨの開放要求を送信して（ステップＳ１１ｆ）、動作を終了する（ステップＳ１１ｇ）。
【００３３】
ステップＳ１１ｄで、ＳＣＨの速度が容認できない場合、制御部１１は、割り当てられたＳＣＨを用いて所定数の空のフレームを送信した後、そのＳＣＨの開放要求を送信する（ステップＳ１１ｈ）。そして、上記データ通信されるデータ量に基づいて決定された速度の上り方向のＳＣＨの割り当て再要求を基地局２に送信する（ステップＳ１１ｉ）。そして、割り当てられたＳＣＨの速度などを基地局２から受信する（ステップＳ１１ｊ）。
【００３４】
これらのステップＳ１１ｈの動作と、ステップＳ１１ｉの動作と、ステップＳ１１ｊの動作は、それぞれステップＳ１１ｆの動作と、ステップＳ１１ｂの動作と、ステップＳ１１ｃの動作と同様である。
【００３５】
そして、そのＳＣＨを用いて上記データ通信を行って（ステップＳ１１ｅ）、割り当てられたＳＣＨを用いて所定数の空のフレームを送信した後、そのＳＣＨの開放要求を送信して（ステップＳ１１ｆ）、動作を終了する（ステップＳ１１ｇ）。
【００３６】
ここで、制御部１１がステップＳ１１ｆとステップＳ１１ｈで送信する空のフレームの数は、無期限に割り当てられたＳＣＨを開放するために送ることと決められた数であって、ステップＳ１１ｃまたはステップＳ１１ｊで割り当てられたＳＣＨの速度等の情報を受信する際に併せて受信される数である。
【００３７】
なお、上記説明では、制御部１１は、ステップＳ１１ｉで要求を送信したことに対して割り当てられたＳＣＨの速度をステップＳ１１ｊで受信し、その速度が上記データ通信されるデータ量と比較して容認できるか否かを調べないとした。言い換えると、その比較はステップＳ１１ｄで１回のみ行うとし、ＳＣＨの割り当ての再要求はステップＳ１１ｉで１回のみ行うとしたが、これに限るものではない。
【００３８】
例えば、ステップＳ１１ｊで割り当てられたＳＣＨの速度を基地局２から受信した後、所定の回数に渡ってステップＳ１１ｄの動作に移り、上記比較を行い、ＳＣＨの速度が容認できない場合、再要求を行っても良い。その回数は、上記データ通信されるデータ量が多い程、多くても良い。また、割り当てられたＳＣＨの速度が遅い程、多くても良い。また、上記比較及び再要求を繰り返す際の時間間隔は、割り当てられたＳＣＨの速度が遅い程、短くても良く、繰り返し回数が増加する程、長くても良い。
【００３９】
図６は、上記再要求を繰り返す間隔及び回数の一例を表形式で示し、図６（ａ）は、データ通信されるデータ量が所定の値より少ない場合の一例を、図６（ｂ）は、データ通信されるデータ量が所定の値より多い場合の一例を示す。再要求間隔１１ａは、再要求回数１１ｂと、割り当てられたＳＣＨの速度１１ｃと、最大のＳＣＨの速度との要素から決定される。ここで、割り当てられたＳＣＨの速度１１ｃは、離散値を取り、その値は、ｖ１〜ｖ５であり、ｖ１＜ｖ２＜ｖ３＜ｖ４＜ｖ５であるとする。即ち、最大のＳＣＨの速度はｖ５である。また、制御部１１は、速度ｖ５が容認できる速度であると判断したとする。
【００４０】
図６（ａ）に示すデータ通信されるデータ量が所定の値より少ない場合、再要求回数１１ｂが１回目、即ち、ステップＳ１１ｂでＳＣＨの割り当てを要求の後、初めてステップＳ１１ｉのＳＣＨの割り当ての再要求を行うまでの間隔は、ステップＳ１１ｃで受信した、割り当てられたＳＣＨの速度１１ｃがｖ１である場合２秒であり、それがｖ２である場合４秒であり、それがｖ３である場合８秒であり、それがｖ４である場合１６秒であり、それがｖ５である場合、再要求を行わないことを示している。
【００４１】
再要求回数１１ｂが２回目、即ち、２回目にステップＳ１１ｉのＳＣＨの割り当ての再要求を行うまでの間隔は、１回目にステップＳ１１ｊで受信した、割り当てられたＳＣＨの速度１１ｃがｖ１である場合４秒であり、それがｖ２である場合８秒であり、それがｖ３である場合１６秒であり、それがｖ４である場合と、それがｖ５である場合、再要求を行わないことを示している。
【００４２】
再要求回数１１ｂが３回目、即ち、３回目にステップＳ１１ｉのＳＣＨの割り当ての再要求を行うまでの間隔は、２回目にステップＳ１１ｊで受信した、割り当てられたＳＣＨの速度１１ｃがｖ１である場合８秒であり、それがｖ２である場合１６秒であり、それがｖ３である場合と、それがｖ４である場合と、それがｖ５である場合、再要求を行わないことを示している。
【００４３】
再要求回数１１ｂが４回目以上、即ち、４回目以降にステップＳ１１ｉのＳＣＨの割り当ての再要求を行うまでの間隔は、その前回にステップＳ１１ｊで受信した、割り当てられたＳＣＨの速度１１ｃがｖ１である場合１６秒であり、それがｖ２である場合と、それがｖ３である場合と、それがｖ４である場合と、それがｖ５である場合、再要求を行わないことを示している。
【００４４】
図６（ｂ）に示すデータ通信されるデータ量が所定の値より多い場合、再要求回数１１ｂが１回目、即ち、ステップＳ１１ｂでＳＣＨの割り当てを要求の後、初めてステップＳ１１ｉのＳＣＨの割り当ての再要求を行うまでの間隔は、ステップＳ１１ｃで受信した、割り当てられたＳＣＨの速度１１ｃがｖ１である場合１秒であり、それがｖ２である場合２秒であり、それがｖ３である場合４秒であり、それがｖ４である場合８秒であり、それがｖ５である場合、再要求を行わないことを示している。
【００４５】
再要求回数１１ｂが２回目、即ち、２回目にステップＳ１１ｉのＳＣＨの割り当ての再要求を行うまでの間隔は、１回目にステップＳ１１ｊで受信した、割り当てられたＳＣＨの速度１１ｃがｖ１である場合２秒であり、それがｖ２である場合４秒であり、それがｖ３である場合８秒であり、それがｖ４である場合１６秒であり、それがｖ５である場合、再要求を行わないことを示している。
【００４６】
再要求回数１１ｂが３回目、即ち、３回目にステップＳ１１ｉのＳＣＨの割り当ての再要求を行うまでの間隔は、２回目にステップＳ１１ｊで受信した、割り当てられたＳＣＨの速度１１ｃがｖ１である場合４秒であり、それがｖ２である場合８秒であり、それがｖ３である場合１６秒であり、それがｖ４である場合と、それがｖ５である場合、再要求を行わないことを示している。
【００４７】
再要求回数１１ｂが４回目、即ち、４回目にステップＳ１１ｉのＳＣＨの割り当ての再要求を行うまでの間隔は、３回目にステップＳ１１ｊで受信した、割り当てられたＳＣＨの速度１１ｃがｖ１である場合８秒であり、それがｖ２である場合１６秒であり、それがｖ３である場合と、それがｖ４である場合と、それがｖ５である場合、再要求を行わないことを示している。
【００４８】
再要求回数１１ｂが５回目以上、即ち、５回目以降にステップＳ１１ｉのＳＣＨの割り当ての再要求を行うまでの間隔は、その前回にステップＳ１１ｊで受信した、割り当てられたＳＣＨの速度１１ｃがｖ１である場合１６秒であり、それがｖ２である場合３２秒であり、それがｖ３である場合と、それがｖ４である場合と、それがｖ５である場合、再要求を行わないことを示している。
【００４９】
上記のように再要求間隔１１ａを決定し、または、再要求を行わないことを決定することにより、割り当てられたＳＣＨの速度１１ｃが遅い程、短い再要求間隔１１ａで、かつ、多い繰り返し回数で再要求し、更に、繰り返し回数が増えるに従って長い再要求間隔１１ａで再要求を行うことになる。
【００５０】
また、データ通信されるデータ量が多い程、短い再要求間隔１１ａで、かつ、多い繰り返し回数で再要求することになる。ここで、上記データ量と所定の値との大小を比較して、２通りの再要求間隔１１ａと繰り返し回数との中から１通りを選択するとしたが、これに限らない。３通り以上から選択しても良いし、再要求間隔１１ａと、繰り返し回数とを上記データ量の関数として算出しても良い。また、再要求間隔１１ａと、繰り返し回数とのいずれか一方または両方は、上記データ量に依存しないとしても良い。
【００５１】
このため、制御部１１は、再要求によってより高速なＳＣＨの割り当てを受ける可能性を高めることができる。また、より高速なＳＣＨの割り当てを受ける可能性がない、または、低い場合、再要求を行わないことができる。
【００５２】
なお、制御部１１は、ステップＳ１１ｂ及びステップＳ１１ｉで要求する上り方向のＳＣＨの速度を常に最大の速度（ｖ５）としても良い。また、その速度を電波伝播の状態に依存して決定しても良い。即ち、電波伝播の状態が良い場合、その状態が悪い場合に比較して、速い速度を要求しても良い。
【００５３】
また、制御部１１は、上記再要求間隔１１ａの間、割り当てられたＳＣＨを用いたデータ通信を行う。また、ステップＳ１１ｈ〜ステップＳ１１ｊのＳＣＨの開放及び再要求の動作の間、制御部１１は、ＦＣＨを用いてデータ通信を行う。
【００５４】
次に、移動通信端末装置１と基地局２の間で行われるＳＣＨの要求及び割り当てに関する通信の一例を説明する。図７は、移動通信端末装置１と基地局２の間で行われるＳＣＨの要求及び割り当てに関する通信のフローの一例を示す。
【００５５】
移動通信端末装置１と基地局２の間で行われるＳＣＨの要求及び割り当てに関する通信は、移動通信端末装置１がその通信の開始メッセージ（Origination Message）を基地局２に送信することによって開始される（ステップＳ３１ａ）。これに対して、基地局２は、接続メッセージ（Connect Message）を移動通信端末装置１に送信して、この通信のインターフェースを確立する（ステップＳ３１ｂ）。
【００５６】
続いて、移動通信端末装置１は、ＳＣＨの要求メッセージ（ＳＣＲＭ、Supplement Channel Request Message）を基地局２に送信する。このメッセージには、要求するＳＣＨの速度が含まれている（ステップＳ３１ｃ。ステップＳ３１ａ〜Ｓ３１ｃが、図４に示すステップＳ２１ｃと、図５に示すステップＳ１１ｂとに対応する。）。
【００５７】
これに対して、基地局２は、ＳＣＨの割り当てメッセージ（ＥＳＣＡＭ、Extended Supplement Channel Assignment Message）を移動通信端末装置１に送信する。このメッセージには、割り当てられたＳＣＨの速度と、移動通信端末装置１がこのＳＣＨを開放する際に送信する空のフレームの数とが含まれている（ステップＳ３１ｄ。図４に示すステップＳ２１ｄと、図５に示すステップＳ１１ｃとに対応する。）。なお、このメッセージには、更に、ＳＣＨが移動通信端末装置１に割り当てられる時間が含まれていても良い。
【００５８】
次に、移動通信端末装置１は、上記割り当てられたＳＣＨの速度が容認できるか否かを判断し、容認できない場合、以下の処理を実行する（ステップＳ３１ｅ。図５に示すステップＳ１１ｄの「容認できない」に対応する。）。
【００５９】
即ち、移動通信端末装置１は、まず、ステップＳ３１ｄで受信された空のフレームの数だけの空フレームを基地局２に送信し（ステップＳ３１ｆ）、更に、要求するＳＣＨの速度が０であるＳＣＨの要求メッセージ（ＳＣＲＭ）を基地局２に送信することによって、割り当てられたＳＣＨの開放を要求する（ステップＳ３１ｇ。ステップＳ３１ｆ〜Ｓ３１ｇが、図４に示すステップＳ２１ｅと、図５に示すステップＳ１１ｈとに対応する。）。
【００６０】
これに対して、基地局２は、割り当てられたＳＣＨの開放を通知するメッセージを、割り当て時間が０であるＳＣＨの割り当てメッセージ（ＥＳＣＡＭ）の形式で、移動通信端末装置１に送信する（ステップＳ３１ｈ。図４に示すステップＳ２１ｆに対応する。）。
【００６１】
続いて、移動通信端末装置１は、ＳＣＨの要求メッセージ（ＳＣＲＭ）を基地局２に送信し（ステップＳ３１ｉ。図４に示すステップＳ２１ｃと、図５に示すステップＳ１１ｉとに対応する。）、これに対して、基地局２は、ＳＣＨの割り当てメッセージ（ＥＳＣＡＭ）を移動通信端末装置１に送信する（ステップＳ３１ｊ。図４に示すステップＳ２１ｄと、図５に示すステップＳ１１ｊとに対応する。）。これらのステップＳ３１ｉ、Ｓ３１ｊの通信は、ステップＳ３１ｃ、Ｓ３１ｄの通信と同様であり、詳細な説明は省略する。
【００６２】
以上の説明では、上り方向のＳＣＨは移動通信端末装置１が基地局２に割り当てを要求し、下り方向のＳＣＨは交換局が基地局２に割り当てを要求するとしたが、これに限るものではない。移動通信端末装置１が下り方向のＳＣＨの割り当てを要求しても良く、また、交換局が上り方向のＳＣＨの割り当てを要求しても良い。本発明は以上の構成に限定されるものではなく、種々の変形が可能である。
【図面の簡単な説明】
【００６３】
【図１】本発明の実施形態に係る通信システムの構成を示すブロック図。
【図２】本発明の実施形態に係る移動通信端末装置の構成を示すブロック図。
【図３】本発明の実施形態に係る基地局の構成を示すブロック図。
【図４】本発明の実施形態に係る基地局の制御部のＦＣＨ及びＳＣＨ割り当ての制御動作を示すフローチャート。
【図５】本発明の実施形態に係る移動通信端末装置の制御部のＳＣＨ割り当て要求の制御動作を示すフローチャート。
【図６】本発明の実施形態に係る移動通信端末装置の制御部のＳＣＨ割り当て要求を繰り返す間隔の一例を示す図。
【図７】本発明の実施形態に係る通信システムの通信のフローの一例を示す図。
【符号の説明】
【００６４】
１  移動通信端末装置
２  基地局
３  チャネル
１１  制御部
１７  電子メール送受信部
１８  ファイル転送部
１９  ファイル記憶部
１９ａ  ファイル
【図１】
2006262109.tif 000003
【図２】
2006262109.tif 000004
【図３】
2006262109.tif 000005
【図４】
2006262109.tif 000006
【図５】
2006262109.tif 000007
【図６】
2006262109.tif 000008
【図７】
2006262109.tif 000009